(57)【要約】【課題】映像を複数の画面に分割して表示する場合でも、画面毎に微妙に色が異なることを防止して表示品質を向上させることができる表示装置及び表示方法を提供する。【解決手段】表示装置は、映像を複数の画面に分割して表示する表示部と、複数の画面それぞれに対応し、映像信号を階調値に変換する複数の変換部とを備え、変換部で変換した階調値に応じた映像を表示する。表示装置は、さらに、所定の映像信号を一の変換部で変換した階調値と、所定の映像信号を他の変換部で変換した階調値とを等しくすべく制御する制御部を備える。【選択図】図１
2015055676.tif 000002
【特許請求の範囲】
【請求項１】
映像を複数の画面に分割して表示する表示部と、前記複数の画面それぞれに対応し、映像信号を階調値に変換する複数の変換部とを備え、該変換部で変換した階調値に応じた映像を表示する表示装置において、
所定の映像信号を一の変換部で変換した階調値と、前記所定の映像信号を他の変換部で変換した階調値とを等しくすべく制御する制御部を備えることを特徴とする表示装置。
【請求項２】
前記複数の変換部で変換する階調値のゲインを設定するゲイン設定部を備え、
前記制御部は、
前記所定の映像信号を前記一の変換部及び他の変換部が変換した場合の最大階調から所定範囲内の階調値の差分が所定の閾値より小さくなるように前記ゲイン設定部で設定するゲインを制御するようにしてあることを特徴とする請求項１に記載の表示装置。
【請求項３】
前記複数の変換部で変換する階調値のオフセットを設定するオフセット設定部を備え、
前記制御部は、
前記所定の映像信号を前記一の変換部及び他の変換部が変換した場合の最小階調から所定範囲内の階調値の差分が所定の閾値より小さくなるように前記オフセット設定部で設定するオフセットを制御するようにしてあることを特徴とする請求項１又は請求項２に記載の表示装置。
【請求項４】
映像を複数の画面に分割して表示する表示部と、前記複数の画面それぞれに対応し、映像信号を階調値に変換する複数の変換部とを備え、該変換部で変換した階調値に応じた映像を表示する表示装置による表示方法において、
所定の映像信号を取得するステップと、
取得された映像信号を一の変換部で階調値に変換するステップと、
取得された映像信号を他の変換部で階調値に変換するステップと、
前記一の変換部で変換した階調値と他の変換部で変換した階調値とを等しくすべく制御するステップと
を含むことを特徴とする表示方法。
【発明の詳細な説明】
【技術分野】
【０００１】
本発明は、映像を複数の画面に分割して表示する表示部と、複数の画面それぞれに対応し、映像信号を階調値に変換する複数の変換部とを備え、変換部で変換した階調値に応じた映像を表示する表示装置及び表示方法に関する。
【背景技術】
【０００２】
従来の表示装置では、装置外部からアナログ映像信号が入力され、入力されたアナログ映像信号がＡ／Ｄ変換部に入力され、Ａ／Ｄ変換部でアナログ映像信号に対してゲイン調整などのキャリブレーションが行われる（特許文献１参照）。
【０００３】
また、映像を複数の画面に分割して表示する表示部を備える表示装置の場合、複数の画面それぞれに対応させて、アナログ映像信号をＡ／Ｄ変換するＡ／Ｄ変換部を備える。
【先行技術文献】
【特許文献】
【０００４】
【特許文献１】特開２０１１−１１２９８３号公報
【発明の概要】
【発明が解決しようとする課題】
【０００５】
しかしながら、従来の表示装置のように、１台の表示装置に複数のＡ／Ｄ変換部を設けた場合、Ａ／Ｄ変換に係るキャリブレーションの際には、それぞれのＡ／Ｄ変換部単独でパラメータ調整が行われ、お互いの調整結果は考慮されていない。このため、それぞれのＡ／Ｄ変換部での調整結果は微妙に異なることになる。そして、Ａ／Ｄ変換部毎の微妙な調整結果の違いにより、分割された画面それぞれに表示される映像の色合いなどが微妙に異なってしまうという問題がある。
【０００６】
本発明は斯かる事情に鑑みてなされたものであり、映像を複数の画面に分割して表示する場合でも、画面毎に微妙に色が異なることを防止して表示品質を向上させることができる表示装置及び表示方法を提供することを目的とする。
【課題を解決するための手段】
【０００７】
本発明に係る表示装置は、映像を複数の画面に分割して表示する表示部と、前記複数の画面それぞれに対応し、映像信号を階調値に変換する複数の変換部とを備え、該変換部で変換した階調値に応じた映像を表示する表示装置において、所定の映像信号を一の変換部で変換した階調値と、前記所定の映像信号を他の変換部で変換した階調値とを等しくすべく制御する制御部を備えることを特徴とする。
【０００８】
本発明に係る表示装置は、前記複数の変換部で変換する階調値のゲインを設定するゲイン設定部を備え、前記制御部は、前記所定の映像信号を前記一の変換部及び他の変換部が変換した場合の最大階調から所定範囲内の階調値の差分が所定の閾値より小さくなるように前記ゲイン設定部で設定するゲインを制御するようにしてあることを特徴とする。
【０００９】
本発明に係る表示装置は、前記複数の変換部で変換する階調値のオフセットを設定するオフセット設定部を備え、前記制御部は、前記所定の映像信号を前記一の変換部及び他の変換部が変換した場合の最小階調から所定範囲内の階調値の差分が所定の閾値より小さくなるように前記オフセット設定部で設定するオフセットを制御するようにしてあることを特徴とする。
【００１０】
本発明に係る表示方法は、映像を複数の画面に分割して表示する表示部と、前記複数の画面それぞれに対応し、映像信号を階調値に変換する複数の変換部とを備え、該変換部で変換した階調値に応じた映像を表示する表示装置による表示方法において、所定の映像信号を取得するステップと、取得された映像信号を一の変換部で階調値に変換するステップと、取得された映像信号を他の変換部で階調値に変換するステップと、前記一の変換部で変換した階調値と他の変換部で変換した階調値とを等しくすべく制御するステップとを含むことを特徴とする。
【発明の効果】
【００１１】
本発明によれば、画面毎に微妙に色が異なることを防止して表示品質を向上させることができる。
【図面の簡単な説明】
【００１２】
【図１】本実施の形態の表示装置の構成の一例を示すブロック図である。
【図２】変換部の変換特性の一例を示す説明図である。
【図３】従来のキャリブレーションだけを行った場合の画面の表示例を示す模式図である。
【図４】所定の映像信号の一例を示す説明図である。
【図５】キャリブレーション完了後の各変換部の変換特性の一例を示す説明図である。
【図６】本実施の形態の変換部のゲイン及びオフセットの微調整の第１実施例及び第２実施例を示す説明図である。
【図７】キャリブレーション完了後のゲイン及びオフセットの微調整を行った場合の画面の表示例を示す模式図である。
【図８】本実施の形態の表示装置による前段キャリブレーションの処理手順の一例を示すフローチャートである。
【図９】本実施の形態の表示装置による後段キャリブレーションの処理手順の一例を示すフローチャートである。
【図１０】本実施の形態の表示装置による後段キャリブレーションの処理手順の一例を示すフローチャートである。
【発明を実施するための形態】
【００１３】
以下、本発明を実施の形態を示す図面に基づいて説明する。図１は本実施の形態の表示装置１００の構成の一例を示すブロック図である。本実施の形態の表示装置１００は、２つの画面Ａ、画面Ｂに分割して映像を表示する表示部２０、表示部２０のそれぞれの画面Ａ、画面Ｂに対応して設けられた２個の制御ユニット１０、画面上の映像表示を制御するコントローラ２１及び映像データを一時的に記憶するＶＲＡＭ２２などを備える。表示部２０は、液晶ディスプレイでもよく、ブラウン管でもよい。
【００１４】
表示部２０の分割した画面Ａ及び画面Ｂそれぞれに入力された映像信号に基づく映像を個別に表示させることにより、画面Ａ、Ｂ全体として、例えば、１９２０×２１６０＠６０Ｈｚの高解像度の映像を表示することができる。
【００１５】
また、各制御ユニット１０は、制御ユニット１０全体を制御する制御部１１、映像入力部１２、操作部１３、ＲＯＭ１４、ＲＡＭ１５、変換部１６、ゲイン設定部１７、オフセット設定部１８、通信部１９などを備える。
【００１６】
制御部１１は、マイクロプロセッサ、ＦＰＧＡ（Field Programmable Array）、又はＡＳＩＣ（Application Specific Integrated Circuit）などで構成することができる。あるいは、制御部１１は、その他の演算機能を有する回路で構成することができる。また、制御部１１の内部に変換部１６、ゲイン設定部１７、オフセット設定部１８などの機能を組み込むこともできる。
【００１７】
一方の制御ユニット１０、コントローラ２１及びＶＲＡＭ２２は表示部２０の画面Ａに映像を表示させる機能を果たし、他方の制御ユニット１０、コントローラ２１及びＶＲＡＭ２２は表示部２０の画面Ｂに映像を表示させる機能を果たす。なお、コントローラ２１及びＶＲＡＭ２２の数は２個に限定されるものではない。
【００１８】
映像入力部１２は、パーソナルコンピュータ（以下、「ＰＣ」と記す）などのソース機器から映像信号（アナログ映像信号）を取得する。また、映像入力部１２は、生産工程等で使用される所定の信号発生器から所定の映像信号（アナログ映像信号）を取得する。所定の映像信号の詳細は後述する。
【００１９】
ＲＯＭ１４は、制御部１１、変換部１６等が行う処理を定めた制御プログラムを記憶する。
【００２０】
ＲＡＭ１５は、制御部１１、変換部１６等が行う処理の結果得られたデータを一時的に記憶するワークメモリとしての機能を有する。
【００２１】
通信部１９は、他の制御ユニット１０との間でデータ又は情報の授受を行う。一方の制御ユニット１０の通信部１９は、例えば、他方の制御ユニット１０の通信部１９を介して他方の制御ユニット１０の変換部１６で変換した階調値を取得し、取得した階調値を制御部１１へ出力する。
【００２２】
変換部１６は、Ａ／Ｄ変換機能を有し、映像入力部１２で取得した映像信号（アナログ映像信号）を階調値（デジタル値）に変換する。すなわち、２個の制御ユニット１０内に設けられた変換部１６は、それぞれ表示部２０の画面Ａ及び画面Ｂに対応し、映像信号を階調値に変換する。
【００２３】
図２は変換部１６の変換特性の一例を示す説明図である。図２において、横軸は変換部１６に入力されるアナログ信号を示し、ＰＣから入力されるアナログ映像信号の場合、０〜０．７Ｖのアナログ信号となる。縦軸は変換部１６で変換されるデジタル値を示し、信号処理が８ｂｉｔの場合、０〜２５５のデジタル値となる。
【００２４】
各制御ユニット１０内の変換部１６には、個体ばらつきがあり、複数の異なる変換部１６に対して同じレベルのアナログ映像信号を入力しても、変換される階調値（デジタル値）はそれぞれ異なる。このため、変換部１６のキャリブレーションを行うことにより、図２に示すように、０〜０．７Ｖのアナログ信号が、０〜２５５のデジタル値に変換されるように変換部１６のゲインとオフセットを、Ｒ（赤）／Ｇ（緑）／Ｂ（青）それぞれについて調整する。図２の例は、いわゆる理想的な変換特性を示す。
【００２５】
ゲイン設定部１７は、変換部１６で変換する階調値のゲインを設定する。ゲインは、変換部１６に入力される映像信号の変化に対する変換部１６で変換される階調値の変化の割合であり、階調値の変化の割合が大きい場合、ゲインが大きいということができる。図２では、直線で示す変換特性の傾きがゲインとなる。
【００２６】
オフセット設定部１８は、変換部１６で変換する階調値のオフセットを設定する。オフセットは、変換部１６に０レベルのアナログ映像信号が入力された場合に、変換部１６が変換する階調値の最小階調値０からのシフト量（ずれ量）であり、最小階調値からのシフト量が大きい場合、オフセットが高いということができる。図２の例では、直線で示す変換特性が原点で交わっているので、オフセットが０の状態を示す。仮に直線が縦軸の正側で交差する場合は、オフセットが高いと称し、直線が縦軸の負側で交差する場合は、オフセットが低いと称する。
【００２７】
図３は従来のキャリブレーションだけを行った場合の画面の表示例を示す模式図である。図３において、上段の図は、画面Ａ及び画面Ｂそれぞれに対応する変換部１６の変換特性の一例を示し、下段の図は表示部２０で表示される映像を模式的に示す。
【００２８】
変換部１６のキャリブレーションでは、入力映像信号１画面分の領域のうち、Ｒ／Ｇ／Ｂそれぞれについて変換後のデジタル値である最大画素値及び最小画素値を計測する。なお、変換部１６は、入力映像信号１画面分の領域のデジタル値を計測（取得）する機能を有する。そして、計測した最大画素値及び最小画素値が目標値（例えば、最大画素値の目標値が２５５、最小画素値の目標値が０）となるようにゲイン及びオフセットのいずれか一方、あるいは両者を調整する。
【００２９】
この場合、（１）入力されるアナログ映像信号にはノイズが含まれる、（２）オフセットの調整後にゲインを調整すると階調値が低い部分での階調値も影響を受けることにより階調値が下がりきらず黒が浮く（黒浮）現象が生じる、（３）ゲインの調整後にオフセットを調整すると階調値が高い部分での階調値も影響を受けることにより、階調値が飽和状態となることがある。
【００３０】
そこで、実際には、低階調値での黒浮又は高階調値での飽和状態を避けるために、キャリブレーションした結果に対して、ゲインを小さくすること、あるいはオフセットを低くすることが行われる場合が多い。図３の上段の図に示すように、ゲインを若干小さくすることにより、入力された映像信号の最大値（０．７Ｖ）に対する階調値を２５５より小さくしている。また、オフセットを若干小さくすることにより、入力された映像信号の最小値（０Ｖ）及びその近傍の値に対する階調値を０にしている。
【００３１】
しかし、それぞれの変換部１６の固有のばらつきにより、変換特性は異なるので、図３の上段の図に示すように、それぞれの変換部１６のゲイン及びオフセットは微妙に異なる。この結果、図３の下段の図に示すように、表示部２０の分割された画面Ａ及び画面Ｂで表示される映像の色合いが微妙に異なり、表示品質がよくない。そこで、本実施の形態の表示装置１００では、以下に説明するように構成することにより、映像を複数の画面に分割して表示する場合でも、画面毎に微妙に色が異なることを防止して表示品質を向上させる。
【００３２】
一方の制御ユニット１０の制御部１１は、所定の映像信号を一方の制御ユニット１０の変換部１６（「一の変換部１６」とも称する）で変換した階調値と、所定の映像信号を他方の制御ユニット１０の変換部１６（「他の変換部１６」とも称する）で変換した階調値とを等しくすべく制御する。すなわち、キャリブレーション調整後に各変換部１６が同じアナログ信号レベルに対して同じデジタル値を出力（変換）するようにＲ／Ｇ／Ｂそれぞれについて調整する。
【００３３】
図４は所定の映像信号の一例を示す説明図である。所定の映像信号は、例えば、変換部１６で変換する階調値の調整専用に定められた映像信号であり、図４に示すように変換部１６で変換した階調値に基づいて表示される映像が所定の階調数（例えば、１６階調、３２階調など、図４の例では１６階調）を有するＲ（赤）／Ｇ（緑）／Ｂ（青）毎のグラデーションパターンを含むようにすることができる。
【００３４】
そして、図４に示すようなグラデーションパターン信号を各制御ユニット１０に入力し、各変換部１６のキャリブレーション（「前段キャリブレーション」とも称する）が完了した後に、各変換部１６が変換する階調値が等しくなるように再度、ゲイン及びオフセットを微調整（「後段キャリブレーション」とも称する）する。以下、詳細に説明する。
【００３５】
図５はキャリブレーション完了後の各変換部１６の変換特性の一例を示す説明図である。図５は、図３に例示した変換特性と同じものである。すなわち、図５に示すように、それぞれの変換部１６の固有のばらつきにより、変換特性は異なるので、それぞれの変換部１６のゲイン及びオフセットは微妙に異なる。例えば、画面Ａに対応する変換部１６のゲインは、画面Ｂに対応する変換部１６のゲインよりも大きい。また、画面Ａに対応する変換部１６のオフセットは、画面Ｂに対応する変換部１６のオフセットよりも低い。なお、図５の例は一例であって各変換部１６の変換特性は図５の例に限定されるものではない。
【００３６】
図６は本実施の形態の変換部１６のゲイン及びオフセットの微調整の第１実施例及び第２実施例を示す説明図である。まず、第１実施例としてゲインの制御について説明する。制御部１１は、所定の映像信号を一の変換部１６及び他の変換部１６が変換した場合の最大階調から所定範囲内の階調値の差分が所定の閾値より小さくなるようにゲイン設定部１７で設定するゲインを制御する。例えば、変換部１６が変換する階調値を、０から２５５とする場合（８ｂｉｔ信号処理の場合）、最大階調値は２５５である。なお、最大階調値は２５５に限定されるものではなく、信号処理のｂｉｔ数に応じて変わる。最大階調から所定範囲内は、高階調側と称することができ、例えば、最大階調値から３階調の範囲（図６の例では、１番上の階調、上から２番目の階調、上から３番目の階調）とすることができるが、３階調に限定されるものではない。
【００３７】
変換部１６が変換した階調値が、最大階調値又はその近傍の階調値では飽和状態（アナログ映像信号の変化に対して変換部で変換した階調値が最大階調値となる状態）が生じる場合がある。このため、飽和状態が生じている場合には、それぞれの変換部１６で変換した階調値が最大階調値となり、階調値の差がわからない。そこで、最大階調から所定範囲内の階調値を取得する。
【００３８】
取得した階調値は、例えば、１番上の階調は、Ｒが２４０、Ｇが２５０、Ｂが２４５、上から２番目の階調は、Ｒが２２５、Ｇが２３１、Ｂが２３０、上から３番目の階調は、Ｒが２１５、Ｇが２２５、Ｂが２２０の如くである。
【００３９】
そして、取得した階調値の差分が所定の閾値より小さくなるようにゲインを制御することにより、それぞれの変換部１６のゲインを等しくすることができる。
【００４０】
次に、第２実施例としてオフセットの制御について説明する。制御部１１は、所定の映像信号を一の変換部１６及び他の変換部１６が変換した場合の最小階調から所定範囲内の階調値の差分が所定の閾値より小さくなるようにオフセット設定部１８で設定するオフセットを制御する。例えば、変換部１６が変換する階調値を、０から２５５とする場合（８ｂｉｔ信号処理の場合）、最小階調値は０である。最小階調から所定範囲内は、低階調側と称することができ、例えば、最小階調値から３階調の範囲（図６の例では、１番下の階調、下から２番目の階調、下から３番目の階調）とすることができるが、３階調に限定されるものではない。
【００４１】
オフセットが高い場合、変換部１６に０レベルのアナログ映像信号が入力された場合に、変換部１６が変換する最小階調値が０とならず（階調値が下がりきらず）、いわゆる黒が浮く現象（黒浮）が生じする。このため、黒を沈ませるため、オフセットを低くする場合がある。このため、オフセットを低く設定した場合には、それぞれの変換部１６で変換した階調値が０となり、階調値の差がわからない。そこで、最小階調から所定範囲内の階調値を取得する。
【００４２】
取得した階調値は、例えば、１番下の階調は、Ｒが０、Ｇが０、Ｂが０、下から２番目の階調は、Ｒが２、Ｇが０、Ｂが６、下から３番目の階調は、Ｒが２８、Ｇが２４、Ｂが２９の如くである。
【００４３】
そして、取得した階調値の差分が所定の閾値より小さくなるようにオフセットを制御することにより、それぞれの変換部１６のオフセットを等しくすることができる。
【００４４】
図７はキャリブレーション完了後のゲイン及びオフセットの微調整を行った場合の画面の表示例を示す模式図である。図７において、上段の図は、画面Ａ及び画面Ｂそれぞれに対応する変換部１６の変換特性の一例を示し、下段の図は表示部２０で表示される映像を模式的に示す。図７の上段の図に示すように、キャリブレーション完了後のゲイン及びオフセットの微調整を行うことにより、各変換部１６の変換特性は一致する。これにより、各変換部１６は、Ｒ／Ｇ／Ｂそれぞれについて、同じアナログ信号レベルに対して同じデジタル値を出力（変換）する。
【００４５】
また、変換部１６で変換した階調値により画面に表示される映像の色が定まるので、複数の変換部１６が同じ所定の映像信号を変換して得られた階調値を等しくすることにより、図７の下段の図に示すように、各変換部１６で変換した階調値により表示される画面Ａ及び画面Ｂの映像の色が等しくなり、映像を複数の画面に分割して表示する場合でも、画面毎に微妙に色が異なることを防止して表示品質を向上させることができる。
【００４６】
図８は本実施の形態の表示装置１００による前段キャリブレーションの処理手順の一例を示すフローチャートである。図８に例示する処理は、各制御ユニット１０それぞれが行う処理を示す。以下の説明では便宜上、処理の主体を制御部１１とする。制御部１１は、所定のＲＧＢグラデーションパターン信号を取得し（Ｓ１１）、画面上でＲ／Ｇ／Ｂの一番低い階調の階調値が０になるように変換部１６のＲ／Ｇ／Ｂのオフセットを調整する（Ｓ１２）。なお、制御部１１は、画面中で最も低いＲ／Ｇ／Ｂの値を取得することができ、あるいは、制御部１１は、ＲＧＢグラデーションパターンの画面上の座標を指定し、指定した座標における階調値を取得することができる。
【００４７】
制御部１１は、黒浮き防止のため、ステップＳ１２で調整したオフセットを小さめに微調整する（Ｓ１３）。なお、ステップＳ１３は必須の処理ではなく、必要に応じて行うことができる。
【００４８】
制御部１１は、画面上でＲ／Ｇ／Ｂの一番高い階調の階調値が２５５になるように変換部１６のＲ／Ｇ／Ｂのゲインを調整する（Ｓ１４）。なお、制御部１１は、画面中で最も高いＲ／Ｇ／Ｂの値を取得することができ、あるいは、制御部１１は、ＲＧＢグラデーションパターンの画面上の座標を指定し、指定した座標における階調値を取得することができる。
【００４９】
制御部１１は、飽和防止のため、ステップＳ１４で調整したゲインを小さめに微調整する（Ｓ１５）。なお、ステップＳ１５は必須の処理ではなく、必要に応じて行うことができる。
【００５０】
制御部１１は、ＲＧＢグラデーションパターンでの高階調側及び低階調側のＲ／Ｇ／Ｂそれぞれに該当する座標を指定し、指定した座標の階調値を取得し（Ｓ１６）、処理を終了する。高階調側のＲ／Ｇ／Ｂそれぞれに該当する座標は、例えば、１番上の階調、上から２番目の階調、上から３番目の階調に対応する座標であり、低階調側のＲ／Ｇ／Ｂそれぞれに該当する座標は、１番下の階調、下から２番目の階調、下から３番目の階調に対応する座標である。
【００５１】
図９及び図１０は本実施の形態の表示装置１００による後段キャリブレーションの処理手順の一例を示すフローチャートである。図９及び図１０に例示する後段キャリブレーションの処理は、図８に例示した前段キャリブレーションが完了した後に、各変換部１６が変換する階調値が等しくなるように再度、ゲイン及びオフセットを微調整する処理である。図９及び図１０に例示する処理は、２つの制御ユニット１０のうち一方の制御ユニット１０が行う処理である。
【００５２】
制御部１１は、他の制御ユニット１０による前段キャリブレーションが完了したか否かを判定し（Ｓ２１）、完了していない場合（Ｓ２１でＮＯ）、ステップＳ２１の処理を続ける。他の制御ユニット１０による前段キャリブレーションが完了した場合（Ｓ２１でＹＥＳ）、他の制御ユニット１０の高階調側及び低階調側のＲ／Ｇ／Ｂそれぞれの階調値を取得する（Ｓ２２）。
【００５３】
制御部１１は、自身の変換部１６及び他の変換部１６が変換した１番下の階調の階調値の差の絶対値が所定の閾値より小さいか否かを判定する（Ｓ２３）。階調値の差の絶対値が所定の閾値より小さくない場合（Ｓ２３でＮＯ）、制御部１１は、階調値の差に応じてオフセットを所定値だけ増減し（Ｓ２４）、ステップＳ２３以降の処理を続ける。例えば、自身の変換部１６の階調値＜（他の変換部１６の階調値−α）の場合、自身の変換部１６のオフセットを１だけ増やす。また、自身の変換部１６の階調値＞（他の変換部１６の階調値＋α）の場合、自身の変換部１６のオフセットを１だけ減らす。
【００５４】
階調値の差の絶対値が所定の閾値より小さい場合（Ｓ２３でＹＥＳ）、制御部１１は、自身の変換部１６及び他の変換部１６が変換した下から２番目の階調の階調値の差の絶対値が所定の閾値より小さいか否かを判定する（Ｓ２５）。階調値の差の絶対値が所定の閾値より小さくない場合（Ｓ２５でＮＯ）、制御部１１は、階調値の差に応じてオフセットを所定値だけ増減し（Ｓ２６）、ステップＳ２５以降の処理を続ける。例えば、自身の変換部１６の階調値＜（他の変換部１６の階調値−α）の場合、自身の変換部１６のオフセットを１だけ増やす。また、自身の変換部１６の階調値＞（他の変換部１６の階調値＋α）の場合、自身の変換部１６のオフセットを１だけ減らす。
【００５５】
階調値の差の絶対値が所定の閾値より小さい場合（Ｓ２５でＹＥＳ）、制御部１１は、自身の変換部１６及び他の変換部１６が変換した下から３番目の階調の階調値の差の絶対値が所定の閾値より小さいか否かを判定する（Ｓ２７）。階調値の差の絶対値が所定の閾値より小さくない場合（Ｓ２７でＮＯ）、制御部１１は、階調値の差に応じてオフセットを所定値だけ増減し（Ｓ２８）、ステップＳ２７以降の処理を続ける。例えば、自身の変換部１６の階調値＜（他の変換部１６の階調値−α）の場合、自身の変換部１６のオフセットを１だけ増やす。また、自身の変換部１６の階調値＞（他の変換部１６の階調値＋α）の場合、自身の変換部１６のオフセットを１だけ減らす。
【００５６】
階調値の差の絶対値が所定の閾値より小さい場合（Ｓ２７でＹＥＳ）、制御部１１は、自身の変換部１６及び他の変換部１６が変換した１番上の階調の階調値の差の絶対値が所定の閾値より小さいか否かを判定する（Ｓ２９）。階調値の差の絶対値が所定の閾値より小さくない場合（Ｓ２９でＮＯ）、制御部１１は、階調値の差に応じてゲインを所定値だけ増減し（Ｓ３０）、ステップＳ２９以降の処理を続ける。例えば、自身の変換部１６の階調値＜（他の変換部１６の階調値−α）の場合、自身の変換部１６のゲインを１だけ増やす。また、自身の変換部１６の階調値＞（他の変換部１６の階調値＋α）の場合、自身の変換部１６のゲインを１だけ減らす。
【００５７】
階調値の差の絶対値が所定の閾値より小さい場合（Ｓ２９でＹＥＳ）、制御部１１は、自身の変換部１６及び他の変換部１６が変換した上から２番目の階調の階調値の差の絶対値が所定の閾値より小さいか否かを判定する（Ｓ３１）。階調値の差の絶対値が所定の閾値より小さくない場合（Ｓ３１でＮＯ）、制御部１１は、階調値の差に応じてゲインを所定値だけ増減し（Ｓ３２）、ステップＳ３１以降の処理を続ける。例えば、自身の変換部１６の階調値＜（他の変換部１６の階調値−α）の場合、自身の変換部１６のゲインを１だけ増やす。また、自身の変換部１６の階調値＞（他の変換部１６の階調値＋α）の場合、自身の変換部１６のゲインを１だけ減らす。
【００５８】
階調値の差の絶対値が所定の閾値より小さい場合（Ｓ３１でＹＥＳ）、制御部１１は、自身の変換部１６及び他の変換部１６が変換した上から３番目の階調の階調値の差の絶対値が所定の閾値より小さいか否かを判定する（Ｓ３３）。階調値の差の絶対値が所定の閾値より小さくない場合（Ｓ３３でＮＯ）、制御部１１は、階調値の差に応じてゲインを所定値だけ増減し（Ｓ３４）、ステップＳ３３以降の処理を続ける。例えば、自身の変換部１６の階調値＜（他の変換部１６の階調値−α）の場合、自身の変換部１６のゲインを１だけ増やす。また、自身の変換部１６の階調値＞（他の変換部１６の階調値＋α）の場合、自身の変換部１６のゲインを１だけ減らす。
【００５９】
階調値の差の絶対値が所定の閾値より小さい場合（Ｓ３３でＹＥＳ）、制御部１１は、処理を終了する。なお、ステップＳ２３からＳ３４までの処理は、Ｒ／Ｇ／Ｂそれぞれについて行う。
【００６０】
本実施の形態の表示装置（１００）は、映像を複数の画面に分割して表示する表示部（２０）と、前記複数の画面それぞれに対応し、映像信号を階調値に変換する複数の変換部（１６）とを備え、該変換部で変換した階調値に応じた映像を表示する表示装置において、所定の映像信号を一の変換部（１６）で変換した階調値と、前記所定の映像信号を他の変換部（１６）で変換した階調値とを等しくすべく制御する制御部（１１）を備えることを特徴とする。
【００６１】
本実施の形態の表示方法は、映像を複数の画面に分割して表示する表示部（２０）と、前記複数の画面それぞれに対応し、映像信号を階調値に変換する複数の変換部（１６）とを備え、該変換部で変換した階調値に応じた映像を表示する表示装置による表示方法において、所定の映像信号を取得するステップと、取得された映像信号を一の変換部で階調値に変換するステップと、取得された映像信号を他の変換部で階調値に変換するステップと、前記一の変換部で変換した階調値と他の変換部で変換した階調値とを等しくすべく制御するステップとを含むことを特徴とする。
【００６２】
本実施の形態にあっては、制御部（１１）は、所定の映像信号を一の変換部（１６）で変換した階調値と、所定の映像信号を他の変換部（１６）で変換した階調値とを等しくすべく制御する。所定の映像信号は、例えば、変換部で変換する階調値の調整専用に定められた映像信号であり、例えば、変換部で変換した階調値に基づいて表示される映像が所定の階調数（例えば、１６階調、３２階調など）を有するＲ（赤）／Ｇ（緑）／Ｂ（青）毎のグラデーションパターンとなるようなものとすることができる。また、変換部は、例えば、アナログ映像信号をデジタル値（階調値）に変換するＡ／Ｄ変換部である。
【００６３】
変換部で変換した階調値により画面に表示される映像の色が定まるので、複数の変換部が同じ所定の映像信号を変換して得られた階調値を等しくすることにより、各変換部で変換した階調値により表示される映像の色が等しくなり、映像を複数の画面に分割して表示する場合でも、画面毎に微妙に色が異なることを防止して表示品質を向上させることができる。
【００６４】
本実施の形態の表示装置（１００）は、前記複数の変換部（１６）で変換する階調値のゲインを設定するゲイン設定部（１７）を備え、前記制御部（１１）は、前記所定の映像信号を前記一の変換部及び他の変換部が変換した場合の最大階調から所定範囲内の階調値の差分が所定の閾値より小さくなるように前記ゲイン設定部で設定するゲインを制御するようにしてあることを特徴とする。
【００６５】
本実施の形態にあっては、ゲイン設定部（１７）は、複数の変換部（１６）で変換する階調値のゲインを設定する。ゲインは、変換部に入力される映像信号の変化に対する変換部で変換される階調値の変化の割合であり、階調値の変化の割合が大きい場合、ゲインが大きいということができる。制御部（１１）は、所定の映像信号を一の変換部及び他の変換部が変換した場合の最大階調から所定範囲内の階調値の差分が所定の閾値より小さくなるようにゲイン設定部で設定するゲインを制御する。例えば、変換部が変換する階調値を、０から２５５とする場合（８ｂｉｔ信号処理の場合）、最大階調値は２５５である。なお、最大階調値は２５５に限定されるものではなく、信号処理のｂｉｔ数に応じて変わる。最大階調から所定範囲内は、高階調側と称することができ、例えば、最大階調値から３階調の範囲とすることができるが、３階調に限定されるものではない。
【００６６】
変換部が変換した階調値が、最大階調値又はその近傍の階調値では飽和状態（アナログ映像信号の変化に対して変換部で変換した階調値が最大階調値となる状態）が生じる場合がある。このため、飽和状態が生じている場合には、それぞれの変換部で変換した階調値が最大階調値となり、階調値の差がわからない。そこで、最大階調から所定範囲内の階調値を取得し、取得した階調値の差分が所定の閾値より小さくなるようにゲインを制御することにより、それぞれの変換部のゲインを等しくすることができる。これにより、画面毎に微妙に色が異なることを防止して表示品質を向上させることができる。
【００６７】
本実施の形態の表示装置（１００）は、前記複数の変換部（１６）で変換する階調値のオフセットを設定するオフセット設定部（１８）を備え、前記制御部（１１）は、前記所定の映像信号を前記一の変換部及び他の変換部が変換した場合の最小階調から所定範囲内の階調値の差分が所定の閾値より小さくなるように前記オフセット設定部で設定するオフセットを制御するようにしてあることを特徴とする。
【００６８】
本実施の形態にあっては、オフセット設定部（１８）は、複数の変換部（１６）で変換する階調値のオフセットを設定する。変換部が変換する階調値を、０から２５５とする場合（８ｂｉｔ信号処理の場合）、オフセットは、変換部に０レベルのアナログ映像信号が入力された場合に、変換部が変換する階調値の最小階調値０からのシフト量（ずれ量）であり、最小階調値からのシフト量が大きい場合、オフセットが高いということができる。制御部（１１）は、所定の映像信号を一の変換部及び他の変換部が変換した場合の最小階調から所定範囲内の階調値の差分が所定の閾値より小さくなるようにオフセット設定部で設定するオフセットを制御する。例えば、変換部が変換する階調値を、０から２５５とする場合（８ｂｉｔ信号処理の場合）、最小階調値は０である。最小階調から所定範囲内は、低階調側と称することができ、例えば、最小階調値から３階調の範囲とすることができるが、３階調に限定されるものではない。
【００６９】
オフセットが高い場合、変換部に０レベルのアナログ映像信号が入力された場合に、変換部が変換する最小階調値が０とならず（階調値が下がりきらず）、いわゆる黒が浮く現象（黒浮）が生じする。このため、黒を沈ませるため、オフセットを低くする場合がある。このため、オフセットを低く設定した場合には、それぞれの変換部で変換した階調値が０となり、階調値の差がわからない。そこで、最小階調から所定範囲内の階調値を取得し、取得した階調値の差分が所定の閾値より小さくなるようにオフセットを制御することにより、それぞれの変換部のオフセットを等しくすることができる。これにより、画面毎に微妙に色が異なることを防止して表示品質を向上させることができる。
【００７０】
上述したように、本実施の形態によれば、アナログ映像信号入力時に、画面の領域（複数に分割された画面）毎に微妙に色が異なるということを防止することができ、それぞれの画面の色合いが同じになり、表示品質、表示品位が向上する。
【符号の説明】
【００７１】
１００  表示装置
１０  制御ユニット
１１  制御部
１２  映像入力部
１３  操作部
１４  ＲＯＭ
１５  ＲＡＭ
１６  変換部
１７  ゲイン設定部
１８  オフセット設定部
１９  通信部
２０  表示部
２１  コントローラ
２２  ＶＲＡＭ
【図１】
2015055676.tif 000003
【図２】
2015055676.tif 000004
【図３】
2015055676.tif 000005
【図４】
2015055676.tif 000006
【図５】
2015055676.tif 000007
【図６】
2015055676.tif 000008
【図７】
2015055676.tif 000009
【図８】
2015055676.tif 000010
【図９】
2015055676.tif 000011
【図１０】
2015055676.tif 000012